(57)【要約】【課題】  フラッシュ・メモリーカード或いは外部周辺装置からデジタルデータを保存し、コンピュータを必要としない書き込み可能媒体の再生機能付ポータブルデータ記憶装置を提供することである。【解決手段】  フラッシュ・メモリーカードから第１デジタルデータを読み取るフラッシュ・メモリー読取機と、第２デジタルデータを保存する記憶ユニットと、第３デジタルデータが保存されている外部装置に接続するデータ伝送ユニットと、前記フラッシュ・メモリー読取機に読み込まれた前記第１デジタルデータおよび前記記憶ユニットに保存されている前記第２デジタルデータを再生する再生ユニットと、前記フラッシュ・メモリー読取機、前記記憶ユニット、前記データ伝送ユニットおよび前記再生ユニットに接続する制御ユニットと、記憶制御信号と出力制御信号を生成し、前記記憶制御信号および前記出力制御信号を前記制御ユニットに送信する入力ユニットとを備えたことを特徴とする。【選択図】    図１
2005100311.tif 000002
【特許請求の範囲】
【請求項１】
フラッシュ・メモリーカードから第１デジタルデータを読み取るフラッシュ・メモリー読取機と、
第２デジタルデータを保存する記憶ユニットと、
第３デジタルデータが保存されている外部装置に接続するデータ伝送ユニットと、
前記フラッシュ・メモリー読取機によって読み取った前記第１デジタルデータおよび前記記憶ユニットに保存されている前記第２デジタルデータを再生する再生ユニットと、
前記フラッシュ・メモリー読取機と前記記憶ユニットと前記データ伝送ユニットと前記再生ユニットとに接続する制御ユニットと、
記憶制御信号と出力制御信号とを生成し、前記記憶制御信号と前記出力制御信号を前記制御ユニットに送信する入力ユニットとを含み、
前記制御ユニットが前記記憶制御信号を受信したとき、前記制御ユニットは前記フラッシュ・メモリー読取機によって読み込まれた前記第１データおよび前記データ伝送ユニットによって受信された前記第３デジタルデータを前記記憶ユニットに送信して前記第２デジタルデータとして保存させ、
前記制御ユニットが前記出力制御信号を受信したとき、前記制御ユニットは前記第１デジタルデータと前記第２デジタルデータを再生ユニットに送信して再生させる
ことを特徴とする再生可能なポータブルデータ記憶装置。
【請求項２】
前記再生ユニットが、
前記第１デジタルデータと前記第２デジタルデータを解読するために制御ユニットに接続するマルチメディアデコーダと、
前記マルチメディアデコーダに接続され、前記マルチメディアデコーダにより解読された前記第１デジタルデータと解読された前記第２デジタルデータを出力信号にエンコードするための画像エンコーダと、
前記出力信号を再生するための再生装置と
を含む
ことを特徴とする請求項１に記載の再生可能なポータブルデータ記憶装置。
【請求項３】
前記マルチメディアデコーダはＲＳ２３２インターフェイスによって前記制御ユニットに接続されることを特徴とする請求項２に記載の再生可能なポータブルデータ記憶装置。
【請求項４】
前記マルチメディアデコーダはＩＥＥＥ１３９４インターフェイスによって前記制御ユニットに接続されることを特徴とする請求項２に記載の再生可能なポータブルデータ記憶装置。
【請求項５】
前記出力信号はデジタル信号であることを特徴とする請求項２に記載の再生可能なポータブルデータ記憶装置。
【請求項６】
前記出力信号はアナログ信号であることを特徴とする請求項２に記載の再生可能なポータブルデータ記憶装置。
【請求項７】
前記出力装置は液晶ディスプレイ（ＬＣＤ）を含むことを特徴とする請求項２に記載の再生可能なポータブルデータ記憶装置。
【請求項８】
前記再生ユニットは有機発光ダイオード（ＯＬＥＤ）ディスプレイを含むことを特徴とする請求項２に記載の再生可能なポータブルデータ記憶装置。
【請求項９】
前記出力装置はスピーカーを含むことを特徴とする請求項２に記載の再生可能なポータブルデータ記憶装置。
【請求項１０】
前記入力ユニットは更にデータ伝送制御信号を生成し、前記データ伝送制御信号を前記制御ユニットへ送信し、
前記制御ユニットが前記データ伝送制御信号を受信したとき、前記制御ユニットは前記データ伝送ユニットにより前記第１デジタルデータと前記第２デジタルデータを前記外部装置へ送信して保存させる
ことを特徴とする請求項１に記載の再生可能なポータブルデータ記憶装置。
【請求項１１】
前記外部装置はコンピュータまたは周辺装置であることを特徴とする請求項１に記載の再生可能なポータブルデータ記憶装置。
【請求項１２】
前記保存制御信号と前記出力制御信号を遠隔的に生成し、前記制御ユニットに送信するリモコン装置を更に含むことを特徴とする請求項１に記載の再生可能なポータブルデータ記憶装置。
【請求項１３】
前記記憶ユニットはＩＤＥインターフェイスによって制御ユニットに接続されることを特徴とする請求項１に記載の再生可能なポータブルデータ記憶装置。
【請求項１４】
前記記憶ユニットは、ＣＤ−ＲＯＭ、ＣＤ−Ｒ、ＣＤ−ＲＷ、ハードディスク、ＤＶＤ書き込み或いは一体型ドライブであることを特徴とする請求項１に記載の再生可能なポータブルデータ記憶装置。
【請求項１５】
前記データ伝送ユニットは、ユニバーサルシリアルバス（ＵＳＢ）インターフェイスであることを特徴とする請求項１に記載の再生可能なポータブルデータ記憶装置。
【請求項１６】
前記データ伝送ユニットは、オンザゴー拡張（ＯＴＧ）のＵＳＢ２.０インターフェイスであることを特徴とする請求項１５に記載の再生可能なポータブルデータ記憶装置。
【請求項１７】
前記データ伝送ユニットは、ＩＥＥＥ１３９４インターフェイスであることを特徴とする請求項１に記載の再生可能なポータブルデータ記憶装置。
【請求項１８】
前記フラッシュ・メモリーカードはコンパクトフラッシュ（登録商標）カード、マルチメディアカード、セキュアデジタルメモリーカード（ｓｅｃｕｒｅ  ｄｉｇｉｔａｌ  ｍｅｍｏｒｙ  ｃａｒｄ）、スマートメディア（ｓｍａｒｔ  ｍｅｄｉａ）、メモリースティック（ｍｅｍｏｒｙ  ｓｔｉｃｋ）、マイクロドライバー（ｍｉｃｒｏ  ｄｒｉｖｅｒ）であることを特徴とする請求項１に記載の再生可能なポータブルデータ記憶装置。
【請求項１９】
前記第１デジタルデータは、画像データ、ビデオデータ、或いはオーディオ・データを少なくとも一つ含むことを特徴とする請求項１に記載の再生可能なポータブルデータ記憶装置。
【請求項２０】
前記第２デジタルデータは、画像データ、ビデオデータ、或いはオーディオ・データを少なくとも一つ含むことを特徴とする請求項１に記載の再生可能なポータブルデータ記憶装置。
【発明の詳細な説明】
【技術分野】
【０００１】
本発明は、記憶装置に関し、特に、再生可能なポータブルデータ記憶装置に関するものである。
【背景技術】
【０００２】
近年来、データ記憶と伝送技術は急速に発展し、様々な種類の記憶媒体がコンピュータ周辺機器として用いられるようになった。例えば、フラッシュ・メモリーカードは、デジタルカメラ、ノートパソコン、ＭＰ３プレーヤー、パーソナル・デジタル・アシスタント（ＰＤＡ）などといった、ポータブル家庭用電子機器のメモリとして一般的に用いられてきた。それらの人気により、フラッシュ・モリーカードは高価で供給不足にある。
【０００３】
ポータブル家庭用電子機器の、例えばフラッシュ・メモリーカードといったメモリの容量がいっぱいのとき、そこに保存されているデータは、他に保存するか、削除されなければならない。例えば仮に、デジタルカメラのフラッシュ・メモリーカードが容量いっぱいに達したとき、フラッシュ・メモリーカードをデジタルカメラから取り外し、読取装置に差し込み、コンピュータのハードドライブまたは他の記憶装置に保存しなければならない。読取機はメモリカード読取装置、またはＰＣカードで、ユニバーサルシリアルバス（ＵＳＢ）といったインターフェイスを通して、コンピュータに接続することができる。
【０００４】
しかし、いくつかのケースでは、コンピュータは上述の処置をすぐに実行することができない。例えば、フラッシュ・メモリーカードが容量いっぱいに達したとき、空のカードに差し替えなければならない。しかし、余分なメモリカードを持ち運ぶことは不便であると考えられ、更に、いくつかのメモリーカードは大量のデータを保存するのに必要で、両方とも高く、不便である。
【０００５】
保存をより便利にするために、発明者は、 “ポータブルデータ・バックアップ装置”に開示されている従来のポータブルデータ・バックアップ装置を提案した（特許文献１参照）。
【０００６】
ポータブルデータ・バックアップ装置は、フラッシュ・メモリカードからデジタルデータを読み込むフラッシュ・メモリー読取機、制御信号を作るための入力装置、デジタル・データを保存するためのバックアップ装置を有し、そして制御装置はフラッシュ・メモリー読取機にフラッシュ・メモリーカードからデジタル・データを読み込ませ、コントロール信号を受信後、バックアップ装置に保存する。
【０００７】
再生ユニットもまたフラッシュ・メモリーカードまたはバックアップ装置に保存されているデジタルデータを再生または表示させるために、ポータブルデータ・バックアップ装置の一部として提供される。
【０００８】
更に、ＵＳＢインターフェイスは、コンピュータに接続するためにポータブルデータ・バックアップ装置に提供することができ、コンピュータが駆動、表示、またはフラッシュ・メモリーカードとバックアップ装置に保存されているデジタルデータを読み取ることができる。
【０００９】
しかし、ポータブルデータ・バックアップ装置はフラッシュ・メモリーカードからのデータの保存に厳密な制限がある。ＵＳＢインターフェイスはポータブルデータ・バックアップ装置で提供されるものの、その用途はバックアップ装置とコンピュータ間のデータ転送に限定されている。特に、外部周辺装置に直接ポータブルデータ・バックアップ装置を接続し、外部の周辺装置からデータを保存することは不可能である。
【００１０】
【特許文献１】米国特許第６,５８８,６６２Ｂ１号明細書
【発明の開示】
【発明が解決しようとする課題】
【００１１】
本発明はこれに鑑みてなされたものであり、本発明の課題は、フラッシュ・メモリーカード或いは外部周辺装置からデジタルデータを保存し、コンピュータを必要としない書き込み可能媒体のポータブルデータ記憶装置と更に、再生の機能を提供することである。
【００１２】
更に、本発明の課題は、フラッシュ・メモリーカード或いは外部ディスプレイ装置を必要としない書き込み可能媒体からデジタルデータの再生可能なポータブルデータ・バックアップ装置を提供することである。
【課題を解決するための手段】
【００１３】
上記課題を解決するため本発明の再生可能なポータブルデータ記憶装置は、フラッシュ・メモリーカードから第１デジタルデータを読み取るフラッシュ・メモリー読取機と、第２デジタルデータを保存する記憶ユニットと、第３デジタルデータが保存されている外部装置に接続するデータ伝送ユニットと、前記フラッシュ・メモリー読取機によって読み取った前記第１デジタルデータおよび前記記憶ユニットに保存されている前記第２デジタルデータを再生する再生ユニットと、前記フラッシュ・メモリー読取機と前記記憶ユニットと前記データ伝送ユニットと前記再生ユニットとに接続する制御ユニットと、記憶制御信号と出力制御信号とを生成し、前記記憶制御信号と前記出力制御信号を前記制御ユニットに送信する入力ユニットとを含み、前記制御ユニットが前記記憶制御信号を受信したとき、前記制御ユニットは前記フラッシュ・メモリー読取機によって読み込まれた前記第１データおよび前記データ伝送ユニットによって受信された前記第３デジタルデータを前記記憶ユニットに送信して前記第２デジタルデータとして保存させ、前記制御ユニットが前記出力制御信号を受信したとき、前記制御ユニットは前記第１デジタルデータと前記第２デジタルデータを再生ユニットに送信して再生させることを特徴とする。
【００１４】
また本発明は、具体的に言えば、前記再生ユニットが、前記第１デジタルデータと前記第２デジタルデータを解読するために制御ユニットに接続するマルチメディアデコーダと、前記マルチメディアデコーダに接続され、前記マルチメディアデコーダにより解読された前記第１デジタルデータと解読された前記第２デジタルデータを出力信号にエンコードするための画像エンコーダと、前記出力信号を再生するための再生装置とを含むことを特徴とする。
【発明の効果】
【００１５】
本発明の再生可能なポータブルデータ記憶ユニットは、記憶ユニット、ポータブル再生ユニット、周辺記憶装置、またはフラッシュ・メモリー読取機として機能する。再生可能なポータブルデータ記憶装置が外部周辺装置に接続されているとき、コンピュータを必要とすることなくバックアップ処置またはデータ伝送処置を実行することができるようになる。
【発明を実施するための最良の形態】
【００１６】
本発明についての目的、特徴、長所が一層明確に理解されるよう、以下に実施形態を例示し、図面を参照しながら、詳細に説明する。
【実施例】
【００１７】
本発明のポータブルデータ記憶装置の再生の好適な実施例を図１を参照に詳細に説明する。
【００１８】
図１では、ポータブルデータ記憶装置１０は、フラッシュ・メモリーカード２１からデジタルデータを読み取るフラッシュ・メモリー読取機２０、記憶ユニット４０、再生ユニット６０、伝送ユニット８０、制御ユニット５０、入力ユニット３０、リモコンユニット７０を有する。
【００１９】
フラッシュ・メモリー読取機２０はシングルまたはマルチポートのフラッシュ・メモリー読取機で、少なくとも一つのフラッシュ・メモリーカード２１を受け入れ、フラッシュ・メモリーカード２１に保存されている第１デジタルデータを読み取る。フラッシュ・メモリーカード２１はコンパクトフラッシュ（登録商標）カード、マルチメディアカード、セキュアデジタルメモリーカード（ｓｅｃｕｒｅ  ｄｉｇｉｔａｌ  ｍｅｍｏｒｙ  ｃａｒｄ）、スマートメディア（ｓｍａｒｔ  ｍｅｄｉａ）、メモリースティック（ｍｅｍｏｒｙ  ｓｔｉｃｋ）、マイクロドライバー（ｍｉｃｒｏ  ｄｒｉｖｅｒ）のいずれでもよく、画像データ（例：ＪＰＧフォトファイルまたはＧＩＦファイル）、ビデオデータ（例：ＭＰＥＧファイル）、或いはオーディオ・データ（ＭＰ３ミュージックファイル）といった第１デジタルデータを保存する。
【００２０】
記憶ユニット４０は、第２デジタルデータを保存する。一般的に、記憶ユニット４０はＩＤＥインターフェイスの記憶装置を用い、例えばＣＤ−ＲＯＭ、ＣＤ−Ｒ、ＣＤ−ＲＷ、ハードディスク、ＤＶＤ書き込み或いは一体型ドライブはＩＤＥインターフェイスによって制御ユニットに接続される。上述のいずれの装置も記憶ユニット４０として取り外して用いることができるように、記憶ユニット４０は取り外し可能な装置として提供されるのが望ましい。
【００２１】
データ伝送ユニット８０は、その中に保存されている第３デジタルデータの外部装置９０に接続される。具体的に言えば、データ伝送ユニット８０はユニバーサルシリアルバス（ＵＳＢ）インターフェイス或いは、ＩＥＥＥ１３９４インターフェイスよりなることができる。好ましくは、データ伝送ユニット８０がＵＳＢインターフェイスのときに、ＵＳＢオンザゴー（ＵＳＢ  ｏｎ−ｔｈｅ−ｇｏ、ＯＴＧ）拡張が用いられる。ＵＳＢオンザゴーの拡張で、再生可能なポータブルデータ記憶装置はどのＵＳＢとも接続することができ、コンピュータを必要とせずにデータを周辺装置に転送することができる。
【００２２】
外部装置９０はコンピュータ９２とすることができ、データ伝送ユニット８０（例：ＵＳＢインターフェイス或いはＩＥＥＥ１３９４インターフェイス）との接続で、データはフラッシュ・メモリー読取機２０または記憶ユニット４０でコンピュータ９２とフラッシュ・メモリーカード２１の間を転送することができる。例えば、フラッシュ・メモリーカード２１にある第１デジタルデータまたは、記憶ユニット４０にある第２デジタルデータ、そしてコンピュータ９２に保存されている第３デジタルデータは、フラッシュ・メモリーカード２１または記憶ユニット４０に送ることができる。
【００２３】
一方、外部装置９０は、フラッシュ・メモリー読取機、マイクロドライバー、外部ハードディスクドライブなどといった外部周辺装置９４とすることができる。外部周辺装置９４はデータ伝送ユニット８０と交換性がなければならない。例えば、データ伝送ユニット８０がオンザゴー拡張のＵＳＢ２.０インターフェイスのとき、データは、コンピュータを必要とせずにフラッシュ・メモリー読取機２０または記憶ユニット４０で、外部周辺装置９４とフラッシュ・メモリーカード２１間を転送することができる。
【００２４】
この場合、フラッシュ・メモリーカード２１に保存された第１デジタルデータ或いは、記憶ユニット４０にある第２デジタルデータは、保存するために外部周辺装置９４に転送することができ、外部周辺装置９４に保存された第３デジタルデータはフラッシュ・メモリーカード２１または記憶ユニット４０に送ることができる。
【００２５】
再生ユニット６０は、フラッシュ・メモリー読取機２０で読み込まれた第１デジタルデータと、記憶ユニット４０に保存された第２デジタルデータを再生するのに用いられる。つまり、再生可能なポータブルデータ記憶装置は再生装置として機能するということである。具体的に言えば、再生ユニット６０は、マルチメディアデコーダ（多重媒体解読器）６４、画像エンコーダ６２、出力装置６６を備えている。
【００２６】
マルチメディアデコーダ６４は、フラッシュ・メモリーカード２１の第１デジタルデータと、記憶ユニット４０の第２デジタルデータを解読するためにＲＳ２３２インターフェイス或いは、ＩＥＥＥ１３９４インターフェイスによって制御ユニット５０に接続される。
【００２７】
画像エンコーダ６２は、マルチメディアデコーダ６４に接続され、解読された第１デジタルデータと解読された第２デジタルデータを出力信号にエンコードする。例えば、マルチメディアデコーダ６４は、ＭＰ３ファイルをオーディオ信号に、ＭＰＥＧファイルまたはＪＰＧファイルをビデオ信号に解読することができる。また画像エンコーダ６２は、解読されたオーディオとビデオ信号をマルチメディアデコーダ６４から統合信号にエンコードする。
【００２８】
その後、解読された統合信号は（例：出力信号）出力装置６６に送信され、液晶ディスプレイ（ＬＣＤ）、有機発光ダイオード（ＯＬＥＤ）、ＣＲＴ、テレビなどといったディスプレイ装置、スピーカーなどの音響装置を含む。出力信号は、出力装置６６のタイプによってデジタルまたはアナログとすることができる。
【００２９】
制御ユニット５０は、マイクロプロセッサ（ｍｉｃｒｏ  ｐｒｏｃｅｓｓｏｒ）で、フラッシュ・メモリー読取機２０、記憶ユニット４０、データ伝送ユニット８０、そして再生ユニット６０に接続される。入力ユニット３０はキーパッド（ｋｅｙｐａｄ）で、記憶制御信号、出力制御信号、またはデータ伝送信号の制御信号を生成することができる。制御信号は、制御ユニット５０に送信される。
【００３０】
更に、リモコンユニット７０は、保存制御信号、出力制御信号またはデータ伝送信号を遠隔的に生成し、制御ユニット５０に送信する。
【００３１】
記憶制御信号が入力ユニット３０またはリモコンユニット７０から入力されたとき、制御ユニット５０は記憶制御信号を受信し、フラッシュ・メモリー読取機２０によって読み込まれた第１デジタルデータ、またはデータ伝送ユニット８０によって受信した第３デジタルデータを外部装置９０（例：コンピュータ９２または外部周辺装置９４）から記憶ユニット４０に送信し、第２デジタルデータとして保存する。この場合、再生可能なポータブルデータ記憶装置は、記憶装置として機能し、コンピュータを必要とせずにフラッシュ・メモリーカード２１または外部装置９０のどちらかからのデジタルデータを保存することができるようになる。
【００３２】
更に、入力ユニット３０またはリモコンユニット７０から出力制御信号が送られたとき、制御ユニット５０は出力制御信号を受信し、フラッシュ・メモリー読取機２０によって読み込まれた第１デジタルデータまたは、記憶ユニット４０に保存された第２デジタルデータを再生ユニット６０に送信する。この場合、再生可能なポータブルデータ記憶装置は、ポータブル再生装置として機能することができるようになる。
【００３３】
更に、データが入力ユニット３０またはリモコンユニット７０から制御信号を伝送し、制御ユニット５０によって受信されたとき、データは制御信号を伝送し、フラッシュ・メモリー読取機２０によって読み込まれた第１デジタルデータまたは、記憶ユニット４０に保存された第２デジタルデータをデータ伝送ユニット８０を経由して外部装置９０（例：コンピュータ９２または外部周辺装置９４）に保存する。この場合、再生可能なポータブルデータ記憶装置は、コンピュータを必要とせずに、周辺記憶装置またはフラッシュ・メモリー読取機として機能することができる。
【００３４】
また、制御ユニット５０は第１デジタルデータと第３デジタルデータの統合もまた可能にさせ、ＪＰＧファイルとオーディオファイルをＭＰＥＧのフォームにすることができる。統合したデジタルデータは、第２デジタルデータとして記憶ユニット４０に保存することができる。制御ユニット５０はまた、バックグラウンド・サウンドをオーディオファイルに統合させることができる。例えば、フラッシュ・メモリーカード２１に保存されているＪＰＧファイルと外部周辺装置９４に保存されているオーディオファイルは制御ユニット５０によってＭＰＥＧファイルに統合することができ、記憶ユニット４０に保存する。
【００３５】
更に、制御ユニット５０統合されたファイルをあらかじめ決められた方法で再生することをコントロールすることができる。例えば、仮に、オーディオファイルが一度に表示するようにセットされた場合、画像はリモコン装置によって切換えられる。制御ユニット５０は更に、連続的に表示されたファイル間の切換え時間をセットすることができる。本発明はまた、リモコンユニット７０によって、画像の回転とズームをすることができる。
【００３６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３７】
【図１】本発明に基づいたポータブルデータ記憶装置図である。
【符号の説明】
【００３８】
１０  ポータブルデータ記憶装置
２０  フラッシュ・メモリー読取機
２１  フラッシュ・メモリーカード
３０  入力ユニット
４０  記憶ユニット
５０  制御ユニット
６０  再生ユニット
６２  画像エンコーダ
６４  マルチメディアデコーダ
６６  出力装置
７０  リモコンユニット
８０  データ伝送ユニット
９０  外部装置
９２  コンピュータ
９４  外部周辺装置
【図１】
2005100311.tif 000003